(57)【要約】【課題】様々な形態の器具本体に取り付け可能なＬＥＤユニットおよびそれを用いた照明器具を提供する。【解決手段】板状のベース１と、ベース１の一表面側に配置される板状の取付台２と、取付台２の一表面側に配置されてなりＬＥＤチップを用いた発光装置３と、発光装置３の前面側に配置されベース１に取り付けられた透光性のカバー部材５と、発光装置３に電気的に接続された給電用の電線４とを備える。取付台２の他表面側に電線４が嵌り込む溝部２ｅが形成され、電線４がベース１の一表面と取付台２の溝部２ｅの内面とで囲まれた空間を這わせて外部へ導出される。【選択図】図１
2012133963.tif 000002
【特許請求の範囲】
【請求項１】
板状のベースと、前記ベースの一表面側に配置される板状の取付台と、前記取付台の一表面側に配置されてなりＬＥＤチップを用いた発光装置と、前記発光装置の前面側に配置され前記ベースに取り付けられた透光性のカバー部材と、前記発光装置に電気的に接続された給電用の電線とを備え、前記取付台の他表面側に前記電線が嵌り込む溝部が形成され、前記電線が前記ベースの前記一表面と前記取付台の前記溝部の内面とで囲まれた空間を這わせて外部へ導出されてなることを特徴とするＬＥＤユニット。
【請求項２】
前記電線は、前記ベースの一箇所から前記外部へ導出されてなることを特徴とする請求項１記載のＬＥＤユニット。
【請求項３】
前記電線において前記ベースから導出された部位の先端部には、コネクタが設けられてなることを特徴とする請求項２記載のＬＥＤユニット。
【請求項４】
前記ベースの周部に、前記電線を外部へ導出する方向を変更可能な導出部が形成されてなることを特徴とする請求項２または請求項３記載のＬＥＤユニット。
【請求項５】
請求項１ないし請求項４のいずれか１項に記載のＬＥＤユニットと、前記ＬＥＤユニットが取り付けられた器具本体とを備えてなることを特徴とする照明器具。
【発明の詳細な説明】
【技術分野】
【０００１】
本発明は、ＬＥＤユニットおよびそれを用いた照明器具に関するものである。
【背景技術】
【０００２】
従来から、ＬＥＤユニットを備えた照明器具（ＬＥＤ照明器具）が提案されている（例えば、特許文献１，２参照）。
【０００３】
特許文献１に開示されたＬＥＤ照明器具は、図１０に示すように、複数個のＬＥＤチップ２０などが実装されたＬＥＤモジュール基板２１を有している。ＬＥＤモジュール基板２１には、このＬＥＤモジュール基板２１への給電電線２２を直接接続するための速結端子である端子部２３を具備する端子台２４が設けられている。端子台２４には、給電電線２２と端子部２３との接続を解除するための解除ボタン２５が設けられている。なお、このＬＥＤモジュール基板２１を備えたＬＥＤ照明器具では、各ＬＥＤチップ２０、ＬＥＤモジュール基板２１、端子台２４などにより、ＬＥＤユニットを構成している。
【０００４】
また、特許文献２に開示されたＬＥＤ照明器具は、例えば、天井から吊り下げられて使用されるペンダントライトであって、図１１に示すように、複数個のＬＥＤ２６が実装されたＬＥＤ基板２７と、ＬＥＤ基板２７に電力を供給する電源回路２８とを有している。また、このＬＥＤ照明器具は、ＬＥＤ基板２７を収納する有底筒状のＬＥＤケーシング２９と、ＬＥＤケーシング２９とは別体に構成され電源回路２８を収納する有底筒状の電源ケーシング３０とを有している。なお、電源ケーシング３０は、ＬＥＤケーシング２９よりも上側に配置されている。
【０００５】
電源ケーシング３０の底壁３０ｃには、電源回路２８に電気的に接続された電源側コード３２を挿通可能なコード通し穴３０ｄが形成されている。電源側コード３２の先端には、接続プラグ３２ａが設けられている。また、電源ケーシング３０の底面には、ＬＥＤケーシング２９を保持するための引掛具３４が複数箇所に突設されている。
【０００６】
ＬＥＤケーシング２９には、このＬＥＤケーシング２９の開口部を閉塞する上面部材２９ａが取着されている。上面部材２９ａには、ＬＥＤ基板２７に電気的に接続されたＬＥＤ側コード３３を挿通可能なコード通し穴２９ｂが形成されている。ＬＥＤ側コード３３の先端には、電源側コード３２の接続プラグ３２ａに着脱可能な接続プラグ３３ａが設けられている。また、上面部材２９ａには、電源ケーシング３０の引掛具３４を引掛ける引掛溝３５が複数箇所に形成されている。したがって、図１１に示した構成のＬＥＤ照明器具は、ＬＥＤケーシング２９に取着された上面部材２９ａと電源ケーシング３０の底壁３０ｃとを面接触させて着脱可能に取り付けることができる。ここにおいて、ＬＥＤケーシング２９および電源ケーシング３０それぞれは、アルミニウム、銅、真鍮、セラミックなどの放熱性材料で形成されている。なお、図１１に示した構成のＬＥＤ照明器具では、各ＬＥＤ２６と、ＬＥＤ基板２７と、ＬＥＤケーシング２９と、上面部材２９ａと、ＬＥＤ側コード３３と、接続プラグ３３ａとで、ＬＥＤユニットを構成している。
【先行技術文献】
【特許文献】
【０００７】
【特許文献１】特開２００３−５９３３０号公報
【特許文献２】特開２００８−２５８０６６号公報
【発明の概要】
【発明が解決しようとする課題】
【０００８】
ところで、図１０に示した構成のＬＥＤモジュール基板２１を備えたＬＥＤ照明器具では、ＬＥＤモジュール基板２１に給電電線２２を直接接続するための速結端子である端子部２３を具備する端子台２４が設けられているので、ＬＥＤ照明器具の器具本体に対してＬＥＤモジュール基板２１を着脱する際に、給電電線２２を切断したり半田付けしたりする作業が不要となる。したがって、このＬＥＤ照明器具では、給電電線２２の接続作業が容易となり、ＬＥＤモジュール基板２１を着脱することができる。
【０００９】
しかしながら、このＬＥＤ照明器具では、ＬＥＤモジュール基板２１を着脱する際に、端子台２４に設けられた解除ボタン２５を操作して給電電線２２と端子部２３との接続を解除し、給電電線２２を引き抜く必要があるが、ＬＥＤモジュール基板２１に実装されたＬＥＤチップ２０が露出しているので、ＬＥＤモジュール基板２１を着脱する際にＬＥＤチップ２０を傷つける可能性がある。また、このＬＥＤ照明器具では、ＬＥＤモジュール基板２１の着脱作業を、給電電線２２からＬＥＤモジュール基板２１への通電状態のまま行うと、感電のおそれがある。また、このＬＥＤ照明器具においてＬＥＤモジュール基板２１の着脱作業は、電気工事を伴う作業であるため、一般的な白熱電球や蛍光ランプのように一般の使用者自らがＬＥＤモジュール基板２１の着脱作業を行うことはできない。
【００１０】
また、図１１に示した構成のＬＥＤ照明器具では、電源回路２８に電気的に接続された電源側コード３２の先端に接続プラグ３２ａが設けられるとともに、ＬＥＤ基板２７に電気的に接続されたＬＥＤ側コード３３の先端に、電源側コード３２の接続プラグ３２ａに着脱可能な接続プラグ３３ａが設けられている。したがって、このＬＥＤ照明器具では、電源側コード３２とＬＥＤ側コード３３との接続作業が容易となる。また、このＬＥＤ照明器具では、電源ケーシング３０の引掛具３４をＬＥＤケーシング２９の上面部材２９ａに形成された引掛溝３５に引掛けることで、電源ケーシング３０に対してＬＥＤケーシング２９を着脱することができる。
【００１１】
しかしながら、このＬＥＤ照明器具では、電源ケーシング３０にＬＥＤケーシング２９を取り付ける場合、次のような手順が必要となる。まず、電源ケーシング３０のコード通し穴３０ｄから導出された電源側コード３２の接続プラグ３２ａと、ＬＥＤケーシング２９のコード通し穴２９ｂから導出されたＬＥＤ側コード３３の接続プラグ３３ａとを接続する。そして、電源側コード３２およびＬＥＤ側コード３３を電源ケーシング３０のコード通し穴３０ｄから電源ケーシング３０内に押し込んでから、ＬＥＤケーシング２９を電源ケーシング３０に取り付ける。一方、電源ケーシング３０からＬＥＤケーシング２９を取り外す場合は、電源ケーシング３０からＬＥＤケーシング２９を取り外し、その後、電源ケーシング３０のコード通し穴３０ｄから電源側コード３２およびＬＥＤ側コード３３を導出して、電源側コード３２の接続プラグ３２ａとＬＥＤ側コード３３の接続プラグ３３ａとの接続を解除する。したがって、このＬＥＤ照明器具では、電源ケーシング３０に対してＬＥＤケーシング２９を着脱する際に、電源側コード３２およびＬＥＤ側コード３３に張力が作用する可能性がある。また、このＬＥＤ照明器具では、ＬＥＤ側コード３３に張力が作用すると、ＬＥＤ側コード３３とＬＥＤ基板２７との接続部に応力が作用して断線する可能性がある。
【００１２】
また、このＬＥＤ照明器具は、ＬＥＤケーシング２９の上面部材２９ａと電源ケーシング３０の底壁３０ｃとを面接触させて取り付けることで放熱面積を増加させている。したがって、図１１に示した構成のＬＥＤ照明器具は、ＬＥＤケーシング２９の上面部材２９ａと電源ケーシング３０の底壁３０ｃとを面接触させる構造に限定される。
【００１３】
本発明は上記事由に鑑みて為されたものであり、その目的は、様々な形態の器具本体に取り付け可能なＬＥＤユニットおよびそれを用いた照明器具を提供することにある。
【課題を解決するための手段】
【００１４】
本発明のＬＥＤユニットは、板状のベースと、前記ベースの一表面側に配置される板状の取付台と、前記取付台の一表面側に配置されてなりＬＥＤチップを用いた発光装置と、前記発光装置の前面側に配置され前記ベースに取り付けられた透光性のカバー部材と、前記発光装置に電気的に接続された給電用の電線とを備え、前記取付台の他表面側に前記電線が嵌り込む溝部が形成され、前記電線が前記ベースの前記一表面と前記取付台の前記溝部の内面とで囲まれた空間を這わせて外部へ導出されてなることを特徴とする。
【００１５】
このＬＥＤユニットにおいて、前記電線は、前記ベースの一箇所から前記外部へ導出されてなることが好ましい。
【００１６】
このＬＥＤユニットにおいて、前記電線において前記ベースから導出された部位の先端部には、コネクタが設けられてなることが好ましい。
【００１７】
このＬＥＤユニットにおいて、前記ベースの周部に、前記電線を外部へ導出する方向を変更可能な導出部が形成されてなることが好ましい。
【００１８】
本発明の照明器具は、前記ＬＥＤユニットと、前記ＬＥＤユニットが取り付けられた器具本体とを備えてなることを特徴とする。
【発明の効果】
【００１９】
本発明のＬＥＤユニットにおいては、様々な形態の器具本体に取り付け可能となる。
【００２０】
本発明の照明器具においては、様々な形態の器具本体に取り付け可能なＬＥＤユニットを備えた照明器具を提供することができる。
【図面の簡単な説明】
【００２１】
【図１】本実施形態のＬＥＤユニットの分解斜視図である。
【図２】同上のＬＥＤユニットを示し、（ａ）は斜視図、（ｂ）は断面図である。
【図３】同上のＬＥＤユニットを示し、（ａ）は斜視図、（ｂ）は断面図である。
【図４】本実施形態の照明器具の概略断面図である。
【図５】同上の照明器具の他の構成例の概略断面図である。
【図６】同上の照明器具の他の構成例の概略断面図である。
【図７】同上の照明器具の他の構成例の概略断面図である。
【図８】同上の照明器具の他の構成例の概略断面図である。
【図９】同上の照明器具の他の構成例の概略断面図である。
【図１０】従来例のＬＥＤ照明器具において、ＬＥＤモジュール基板を示す斜視図である。
【図１１】他の従来例のＬＥＤ照明器具を示し、（ａ）は概略断面図、（ｂ）は概略斜視図である。
【発明を実施するための形態】
【００２２】
以下、本実施形態のＬＥＤユニットについて、図１〜図５を参照しながら説明する。
【００２３】
本実施形態のＬＥＤユニット１０は、板状（例えば、円板状）のベース１と、ベース１の一表面側（図１では、下面側）に配置される板状（例えば、円板状）の取付台２と、取付台２の一表面側（図１では、下面側）に配置されてなりＬＥＤチップ（図示せず）を用いた発光装置３（図２，３参照）とを有している。また、ＬＥＤユニット１０は、発光装置３の前面側（図２（ｂ）では、下側）に配置されベース１に取り付けられた透光性のカバー部材５と、発光装置３に電気的に接続された給電用の一対の電線（リード線）４，４とを有している。なお、カバー部材５は、透光性材料（例えば、シリコーン樹脂、アクリル樹脂、ガラスなど）により形成されている。
【００２４】
ベース１は、樹脂に比べて熱伝導性の高い材料、例えば、アルミニウム、銅などの金属により形成されている。
【００２５】
ベース１の周部には、カバー部材５をベース１に取り付けるための第１の組立ねじ（図示せず）をベース１の他表面側（図１では、上面側）から挿通する第１の組立ねじ挿通孔１ａが複数箇所（図示例では、４箇所）に貫設されている。また、ベース１の周部には、ＬＥＤユニット１０を照明器具１２（図４〜図９参照）の器具本体１１（図４〜図９参照）に着脱自在に取り付けるための、取付ねじ（図示せず）をベース１の上記一表面側から挿通する取付ねじ挿通孔１ｂが複数箇所（図示例では、２箇所）に貫設されている。
【００２６】
ベース１の上記一表面側には、取付台２を収納配置する凹所１ｄ（図２（ｂ）参照）が形成されている。ここで、凹所１ｄは、円形状に開口されている。また、本実施形態では、凹所１ｄの深さ寸法を取付台２の厚み寸法よりも小さく設定してある。したがって、本実施形態のＬＥＤユニット１０は、ベース１の凹所１ｄの深さ寸法を取付台２の厚み寸法よりも小さく設定しているので、カバー部材５から出射される光の所望の配光および均斉度を阻害する要素が少なくなる。
【００２７】
取付台２は、樹脂に比べて熱伝導性の高い材料、例えば、アルミニウム、銅などの金属により形成されている。
【００２８】
取付台２には、この取付台２をベース１に取り付けるための第２の組立ねじ（図示せず）を取付台２の上記一表面側から挿通する第２の組立ねじ挿通孔（図示せず）が貫設されている。ここにおいて、ベース１の上記一表面側には、取付台２の第２の組立ねじ挿通孔に対応する部位に、第２の組立ねじを螺合させる第１のねじ孔（図示せず）が形成されている。
【００２９】
したがって、取付台２は、第２の組立ねじを取付台２の上記一表面側から第２の組立ねじ挿通孔に挿通して、ベース１の第１のねじ孔に螺合させることによって、ベース１に取り付けられる。なお、取付台２をベース１に取り付ける手段を、第２の組立ねじと第１のねじ孔とで構成しているが、これに限らず、例えば、ねじとねじ挿通孔とナットとで構成してもよい。
【００３０】
取付台２の他表面側（図１では、上面側）には、発光装置３に電気的に接続された一対の電線４，４が嵌り込む断面Ｕ字状の溝部２ｅが形成されている。この溝部２ｅの深さ寸法は、電線４の外径寸法よりもやや大きな寸法に設定されている。つまり、取付台２は、溝部２ｅから電線４がはみ出さないようにすることができる。
【００３１】
したがって、本実施形態のＬＥＤユニット１０は、取付台２の溝部２ｅの深さ寸法を電線４の外径寸法と同程度の寸法（電線４の外径寸法よりもやや大きな寸法）に設定しているので、電線４が溝部２ｅに嵌り込むこととなるから、取付台２をベース１に取り付ける際に、電線４を噛みこんだり、電線４に傷がついたりするのを防止できる。しかも、このＬＥＤユニット１０では、取付台２の上記他表面とベース１の凹所１ｄの内底面とを密着させることが可能となり、発光装置３で発生した熱を、ベース１を通して効率よく放熱させることが可能となる。
【００３２】
また、溝部２ｅは、各電線４，４それぞれを各別に嵌り込ませる２つの第１の溝２ｃ，２ｃと、２本の電線４，４を嵌り込ませる第２の溝２ｄとで構成されている。
【００３３】
第１の溝２ｃは、平面視Ｌ字状に形成されており、一端が取付台２の周部に形成された第３の溝２ｊに連通し、他端が取付台２の上記他表面側の中央部で第２の溝２ｄに連通している。第２の溝２ｄは、平面視直線状に形成されており、一端が各第１の溝２ｃにそれぞれ連通し、他端が取付台２の周部で開放されている。
【００３４】
第１の溝２ｃの幅寸法は、電線４の外径寸法と同程度の寸法（電線４の外径寸法よりもやや大きな寸法）に設定されている。したがって、第１の溝２ｃは、１本の電線４を張力止めする機能を有している。
【００３５】
第２の溝２ｄの幅寸法は、２本の電線４，４を隣同士に並べた幅寸法と同程度の寸法（２本の電線４，４を隣同士に並べた幅寸法よりもやや大きな寸法）に設定されている。したがって、第２の溝２ｄは、２本の電線４，４を張力止めする機能を有している。要するに、本実施形態のＬＥＤユニット１０は、ベース１と取付台２とで一対の電線４，４を保持することによって、別部品を追加することなく、一対の電線４，４の張力止め機能を付与することが可能となる。これによって、ＬＥＤユニット１０は、一対の電線４，４に作用する張力を低減するための別部品が不要であり、低コストで各電線４，４の張力止め機能を付与することが可能となる。また、ＬＥＤユニット１０は、一対の電線４，４に作用する張力を低減することが可能となるので、一対の電線４，４と発光装置３との電気的接続部（例えば、半田部）に応力が作用して断線するのを防止することが可能となる。
【００３６】
ここにおいて、ベース１の周部には、一対の電線４，４をＬＥＤユニット１０の外部へ導出するための導出部１ｃが設けられている。なお、本実施形態では、ベース１の導出部１ｃが、ベース１の一箇所を構成している。
【００３７】
導出部１ｃは、ベース１の上記他表面側の周部に形成された切欠き部であって、ベース１の上記一表面側の凹所１ｄと連通するように形成されている。そして、取付台２の溝部２ｅには、一対の電線４，４を取付台２の側方へ導出するための導出口２ｈがベース１の凹所１ｄを介してベース１の導出部１ｃと連通するように形成されている。したがって、本実施形態のＬＥＤユニット１０は、一対の電線４，４をベース１の上記一表面と取付台２の溝部２ｅの内面とで囲まれた空間に這わせて、ベース１の導出部１ｃから外部へ導出することが可能となる。
【００３８】
また、ベース１には、このベース１の導出部１ｃと取付台２の溝部２ｅとが連通する部位に、面取り部１ｋ（図２（ｂ）参照）が形成されている。面取り部１ｋは、Ｒ面取り部としてあるが、これに限らず、電線４をベース１の上記他表面側に曲げた時に電線４にかかる応力を低減できる形状であればよいので、例えば、Ｃ面取り部などでもよい。
【００３９】
また、導出部１ｃは、ベース１の周部においてベース１の上記他表面および側面が開放されている。つまり、導出部１ｃは、一対の電線４，４を外部へ導出する方向を、ベース１の上記他表面に直交する方向と、ベース１の上記他表面に沿った方向との間で変更することが可能となる。したがって、本実施形態のＬＥＤユニット１０は、導出部１ｃから導出された一対の電線４，４をベース１の上記他表面側または側方へ導出することができる（図２，３参照）。つまり、本実施形態のＬＥＤユニット１０は、従来例のＬＥＤユニットに比べて、ＬＥＤユニット１０に電源を供給する電源ユニット１５（図４，５参照）との位置関係の自由度を高めることが可能となる。
【００４０】
また、取付台２の側部には、発光装置３に電気的に接続された各電線４，４を取付台２の外周縁よりも外側に出すことなく取付台２の上記他表面側に引き回すための上述の第３の溝２ｊが２箇所に形成されている。つまり、各第３の溝２ｊは、各電線４，４が取付台２の外周縁からはみ出さないようにすることができる。また、各第３の溝２ｊは、各第１の溝２ｃと各別に連通するように形成されている。
【００４１】
ところで、本実施形態のＬＥＤユニット１０では、取付台２の上記他表面側に溝部２ｅを形成しているが、仮に、取付台２の上記一表面側に溝部２ｅを形成した場合、カバー部材５を通して一対の電線４，４が見えるため、外観の意匠性が低下する可能性がある。しかし、本実施形態のＬＥＤユニット１０は、取付台２の上記他表面側に溝部２ｅを形成しているので、一対の電線４，４の大部分が取付台２の上記他表面側に隠れ、外観の意匠性が低下するのを防止することが可能となる。また、本実施形態のＬＥＤユニット１０は、一対の電線４，４の大部分がＬＥＤユニット１０内に隠れているので、ＬＥＤユニット１０を器具本体１１に取り付ける際に、ベース１の上記他表面側に溝部２ｅが形成された場合に比べて、一対の電線４，４に傷がつくのを防止することが可能となる。
【００４２】
発光装置３は、図２（ｂ）に示すように、１個ないし複数個のＬＥＤチップを具備する白色ＬＥＤを用いた発光部３ａと、この発光部３ａが実装された実装基板３ｂとで構成されている。
【００４３】
発光部３ａは、青色ＬＥＤチップと、この青色ＬＥＤチップから放射される青色光により励起されてブロードな黄色光を放射する黄色蛍光体からなる蛍光体とを組み合わせて白色光を得る白色ＬＥＤで構成されている。なお、発光部３ａの蛍光体は、黄色蛍光体に限らず、例えば、赤色蛍光体と緑色蛍光体とを用いてもよい。また、発光部３ａは、紫〜近紫外ＬＥＤチップと、赤色蛍光体、緑色蛍光体および青色蛍光体を用いた蛍光体とを組み合わせて白色光を得る白色ＬＥＤで構成されてもよい。さらに、発光部３ａは、赤色ＬＥＤチップと緑色ＬＥＤチップと青色ＬＥＤチップとを組み合わせて白色光を得る白色ＬＥＤで構成されてもよい。また、発光部３ａの構成は、ＬＥＤチップを実装基板３ｂに直接接合した構成であってもよい。いずれにしても、発光部３ａは、ＬＥＤチップが封止部により保護されている。
【００４４】
実装基板３ｂは、例えば、金属ベースプリント配線板を用いて形成されており、発光部３ａに電気的に接続される一対の導電パターン（図示せず）が形成されている。なお、実装基板３ｂは、金属ベースプリント配線板を用いているが、これに限らず、例えば、セラミック基板、ガラスエポキシ基板などを用いてもよい。また、一対の導電パターンには、一対の電線４，４が上述の電気的接続部（例えば、半田部）を介して電気的に接続されている。ここで、一方の電線４がＬＥＤチップのアノード側に接続された導電パターンに接続され、他方の電線４がＬＥＤチップのカソード側に接続された導電パターンに接続されている。
【００４５】
また、実装基板３ｂには、発光装置３を取付台２に取り付けるための第３の組立ねじ（図示せず）を実装基板３ｂの一表面側（図１では、下面側）から挿通する第３の組立ねじ挿通孔（図示せず）が貫設されている。ここにおいて、取付台２の上記一表面側には、実装基板３ｂの第３の組立ねじ挿通孔に対応する部位に、第３の組立ねじを螺合させる第２のねじ孔（図示せず）が形成されている。
【００４６】
したがって、発光装置３は、第３の組立ねじを実装基板３ｂの上記一表面側から第３の組立ねじ挿通孔に挿通して、取付台２の第２のねじ孔に螺合させることによって、取付台２に取り付けられる。なお、発光装置３を取付台２に取り付ける手段は、これに限らず、例えば、電気絶縁性を有し、且つ、熱伝導性の高い接着シートなどを用いてもよい。
【００４７】
カバー部材５は、ベース１の外周線よりも内側に配置され、発光装置３を覆う有底円筒状の本体部５ａと、本体部５ａの開口部から外方へ延設されてなりカバー部材５をベース１に取り付けるための鍔部５ｂとを有している。なお、本体部５ａは、レンズでもよいし、本体部５ａの一部にレンズを形成してもよい。また、本体部５ａの形状は、有底円筒状に限定するものではなく、例えば、ドーム状でもよい。
【００４８】
また、ベース１の上記一表面側には、カバー部材５の鍔部５ｂをベース１との間に挟持するカバー押え部材８が配置される。
【００４９】
カバー押え部材８は、非透光性材料（例えば、アルミニウムなどの金属や、白色不透明のフッ素樹脂など）により形成されており、カバー部材５の本体部５ａの外周面から出射される光をできるだけ妨げないように扁平な環状（図示例では、円環状）に形成されている。
【００５０】
また、カバー押え部材８には、ベース１の各第１の組立ねじ挿通孔１ａそれぞれに対応する部位に、ベース１側へ突出する円柱状のボス部８ａがそれぞれ形成されている。各ボス部８ａには、ベース１の上記他表面側から各第１の組立ねじ挿通孔１ａそれぞれに挿通された第１の組立ねじが螺合する第３のねじ孔８ｂがそれぞれ形成されている。つまり、カバー押え部材８は、カバー部材５の鍔部５ｂをベース１との間に挟持するとともに、第１の組立ねじによってベース１に固定される。これによって、本実施形態のＬＥＤユニット１０は、カバー部材５の鍔部５ｂをベース１とカバー押え部材８とで挟持することによって、カバー部材５に過剰な応力が加わるのを防止してて、カバー部材５をベース１に固定することが可能となる。なお、カバー押え部材８をベース１に固定する手段として、第１の組立ねじと第３のねじ孔８ｂとを用いている。ただし、カバー押え部材８をベース１に固定する方法は、特に限定するものではなく、例えば、熱溶着法などを活用してもよい。この場合には、カバー押え部材８に、ベース１側へ突出する複数のボス部を突設しておく一方で、ベース１に、各ボス部それぞれを貫通させる複数の貫通孔を形成しておき、各ボス部をベース１の貫通孔それぞれに貫通させて、ベース１の上記他表面側からボス部をつぶしてベース１の貫通孔よりも広げることによって、カバー押え部材８をベース１に固定すればよい。
【００５１】
カバー部材５は、このカバー部材５の鍔部５ｂをベース１とカバー押え部材８との間に配置して、第１の組立ねじをベース１の上記他表面側から各第１の組立ねじ挿通孔１ａそれぞれに挿通し、カバー押え部材８の各ボス部８ａの第３のねじ孔８ｂそれぞれに螺合させることによって、カバー部材５の鍔部５ｂがベース１とカバー押え部材８との間に挟持され、ベース１に取り付けられる。また、本実施形態のＬＥＤユニット１０は、カバー押え部材８を扁平な環状に形成しているので、このＬＥＤユニット１０を器具本体１１に取り付けてＬＥＤユニット１０を点灯させた場合に、カバー部材５の本体部５ａの外周面から出射される光の所望の配光および均斉度を阻害する要素が少なくなる。
【００５２】
また、カバー押え部材８の外周部には、ベース１の各取付ねじ挿通孔１ｂそれぞれに対応する部位に、取付ねじをカバー部材５側から挿通可能な取付ねじ挿通孔８ｃがそれぞれ形成されている。したがって、本実施形態のＬＥＤユニット１０は、カバー押え部材８の外周部に取付ねじ挿通孔８ｃが形成されているので、ベース１をカバー部材５側から照明器具１２の器具本体１１に着脱自在に取り付けることが可能となる。
【００５３】
また、鍔部５ｂの内周部には、円筒状の突壁５ｇがベース１側に突設されている。突壁５ｇには、電源ユニット１５をＬＥＤユニット１０の側方に配置するために、一対の電線４，４を導出するための導出口５ｈが２箇所に形成されている。これによって、本実施形態のＬＥＤユニット１０では、カバー部材５をベース１に、各取付ねじ挿通孔８ｃ同士を結ぶ直線を対称として１８０度逆向きに取り付けることが可能となる。
【００５４】
ところで、一対の電線４，４においてベース１の導出部１ｃから導出された部位の先端部には、図４に示すように、コネクタ６が設けられている。したがって、ＬＥＤユニット１０は、このコネクタ６を、電源ユニット１５に電気的に接続されている電源線１３の先端部に設けられた電源ユニット１５側のコネクタ１４と着脱自在に接続することが可能となる。
【００５５】
コネクタ６には、電源ユニット１５側のコネクタ１４に設けられた１つの係合孔（図示せず）に係合する係止爪６ａが１つ設けられている。
【００５６】
したがって、本実施形態のＬＥＤユニット１０は、一対の電線４，４の先端部に、電源ユニット１５側のコネクタ１４と着脱自在に接続可能なコネクタ６が設けられているので、ＬＥＤユニット１０の着脱時の接続作業を容易に行うことができる。また、ＬＥＤユニット１０では、コネクタ６の係止爪６ａを電源ユニット１５側のコネクタ１４の係合孔に係合させることによって、一対の電線４，４の極性を誤って接続するのを防止でき、発光装置３の故障を回避することが可能となる。
【００５７】
ここで、本実施形態のＬＥＤユニット１０のベース１および取付台２の形状を円形状としているが、これに限らず、例えば、多角形状であってもよいし、楕円形状であってもよい。
【００５８】
以下に、上述のＬＥＤユニット１０を備えた照明器具１２について、図４〜図９を参照しながら説明する。
【００５９】
照明器具１２は、上述のＬＥＤユニット１０と、ＬＥＤユニット１０が着脱自在に取り付けられた金属製（例えば、アルミニウムなど）の器具本体１１とを備えている。照明器具１２には、器具本体１１を金属製としてあるので、樹脂製の場合に比べて、ＬＥＤユニット１０の発光装置３で発生した熱を、器具本体１１を通して効率よく放熱させることが可能となる。
【００６０】
器具本体１１は、ＬＥＤユニット１０のベース１の上記他表面側が当接する形でＬＥＤユニット１０を着脱自在に取り付けることができるように構成されている。すなわち、器具本体１１には、ベース１の各取付ねじ挿通孔１ｂそれぞれに対応する部位に、取付ねじを螺合させる第４のねじ孔（図示せず）がそれぞれ形成されている。
【００６１】
図４に示した構成の照明器具１２は、例えば、天井材１７に埋め込み配置されるダウンライトである。この照明器具１２の器具本体１１は、ＬＥＤユニット１０が収納配置される有底円筒状の本体部１１ａと、この本体部１１ａの開口部から外方へ延設された外鍔部１１ｂとを有している。また、器具本体１１は、天井材１７に貫設された埋込孔１７ａに埋め込まれ、外鍔部１１ｂが天井材１７の下面における埋込孔１７ａの周部に当接する形で天井材１７に取り付けられる。
【００６２】
また、器具本体１１の底部１１ｃの上側には、電源ユニット１５を収納配置する収納部１１ｅが設けられており、電源ユニット１５が器具本体１１から離して配置されている。したがって、本実施形態の照明器具１２は、電源ユニット１５で発生した熱が器具本体１１を通してＬＥＤユニット１０側に熱伝導するのを抑制することが可能となる。
【００６３】
本体部１１ａの底部１１ｃには、ＬＥＤユニット１０から導出された一対の電線４，４およびコネクタ６を収納部１１ｅ内へ引き出す引出孔（図示せず）が貫設されている。
【００６４】
また、図５に示した構成の照明器具１２は、例えば、天井材１７に固定され器具本体１１を保持する保持具１９に器具本体１１が保持されたスポットライトである。この照明器具１２の器具本体１１は、矩形箱状であって、器具本体１１内に電源ユニット１５が収納配置されている。なお、電源ユニット１５は、器具本体１１から離して配置されている。
【００６５】
器具本体１１の底部１１ｃには、ＬＥＤユニット１０から導出された一対の電線４，４およびコネクタ６を器具本体１１内へ引き出す引出孔（図示せず）が貫設されている。また、器具本体１１の底部１１ｃには、ＬＥＤユニット１０のカバー部材５から出射される光を拡散するように拡散板７が取り付けられている。
【００６６】
また、図６に示した構成の照明器具１２は、例えば、器具本体１１が壁面１８に固定されたブラケットである。この照明器具１２の器具本体１１は、略矩形箱状であって、器具本体１１内に電源ユニット１５が収納配置されている。なお、電源ユニット１５は、器具本体１１から離して配置されている。また、器具本体１１には、ＬＥＤユニット１０のカバー部材５から出射される光を拡散するように拡散板７が取り付けられている。
【００６７】
上述の図４〜図６に示した構成の照明器具１２におけるＬＥＤユニット１０は、図３に示すように、一対の電線４，４をベース１の導出部１ｃからベース１の上記他表面側へ導出する。
【００６８】
また、図７に示した構成の照明器具１２は、例えば、電源ユニット１５がＬＥＤユニット１０の側方に配置されたものであり、器具本体１１が天井材１７に固定されたシーリングライトである。また、図８に示した構成の照明器具１２は、例えば、天井材１７に固定され器具本体１１を吊り下げる吊り具１６に器具本体１１が吊り下げられたペンダントライトである。また、図９に示した構成の照明器具１２は、例えば、器具本体１１が壁面１８に固定された縦長のポーチライトである。なお、図７〜図９に示した構成の照明器具１２は、ＬＥＤユニット１０のカバー部材５から出射される光を拡散する拡散板７を有している。
【００６９】
上述の図７〜図９に示した構成の照明器具１２におけるＬＥＤユニット１０は、図２に示すように、一対の電線４，４をベース１の導出部１ｃからベース１の側方へ導出する。
【００７０】
したがって、本実施形態のＬＥＤユニット１０は、ベース１の周部に導出部１ｃが設けられ、この導出部１ｃから導出された一対の電線４，４をベース１の上記他表面側または側方へ導出することができるので、様々な形態の器具本体１１に取り付け可能となる。
【符号の説明】
【００７１】
１  ベース
１ｃ  導出部
２  取付台
２ｅ  溝部
３  発光装置
４  電線
５  カバー部材
６  コネクタ
１０  ＬＥＤユニット
１１  器具本体
【図１】
2012133963.tif 000003
【図２】
2012133963.tif 000004
【図３】
2012133963.tif 000005
【図４】
2012133963.tif 000006
【図５】
2012133963.tif 000007
【図６】
2012133963.tif 000008
【図７】
2012133963.tif 000009
【図８】
2012133963.tif 000010
【図９】
2012133963.tif 000011
【図１０】
2012133963.tif 000012
【図１１】
2012133963.tif 000013